(57)【要約】【課題】無線制御装置と接続された無線装置の障害により無線制御装置に移動端末の接続要求が集中することによる負荷上昇を低減する。【解決手段】他の無線装置によって形成される第１周波数帯が使用される第１セルと重畳する第２セルを形成し、他の無線装置とともに無線制御装置と接続される無線装置が、他の無線装置の障害状態を監視し、他の無線装置の障害状態を検出した場合に前記第２セルに送信する電波の送信出力を低下させる。【選択図】図４
2014120802.tif 000002
【特許請求の範囲】
【請求項１】
第１周波数帯が使用される第１セルを形成する第１無線装置と、
前記第１セルと重畳する、前記第１周波数帯と異なる第２周波数帯が使用される第２セルを形成する第２無線装置と、
前記第１無線装置及び前記第２無線装置と接続され、前記第１無線装置及び前記第２無線装置のそれぞれにおいて送受信される信号の処理を行う無線制御装置とを含み、
前記第１無線装置及び前記第２無線装置のそれぞれは、
前記第１無線装置と前記第２無線装置との間で相手方の無線装置の障害状態を監視する監視部と、
前記監視部が相手方の無線装置の障害状態を検出した場合に自装置が形成する前記第１セル又は前記第２セルに対する送信出力を低下させる制御部とを含む
基地局装置。
【請求項２】
前記制御部は、前記送信出力を所定値まで低下させた後に、当該送信出力を段階的に上昇させる
請求項１に記載の基地局装置。
【請求項３】
前記障害状態が検出された相手方の無線装置の自律リセット後に、当該相手方の無線装置の障害状態が前記監視部によって検出される場合に、前記制御部は、当該相手方の無線装置の電源供給停止指示を出力する
請求項１又は２に記載の基地局装置。
【請求項４】
前記第１無線装置と前記第２無線装置とが同一の筺体内に収容され、前記第１無線装置の監視部と前記第２無線装置の監視部とが内部通信経路を介して接続されている
請求項１から３のいずれか１項に記載の基地局装置。
【請求項５】
前記第１無線装置と前記第２無線装置とが相互に独立しており、前記第１無線装置と前記第２無線装置とが障害状態の送受信用インタフェースを介して接続される
請求項１から３のいずれか１項に記載の基地局装置。
【請求項６】
前記相手方の無線装置の障害状態を検出した前記第１無線装置又は前記第２無線装置の制御部は、当該障害状態を示す情報を前記無線制御装置に送信し、
前記情報を受信した前記無線制御装置は、前記障害状態が検出された前記第１無線装置又は前記第２無線装置に係る信号処理用のリソースを、他の無線装置に割り当てる処理を行う
請求項１から５のいずれか１項に記載の基地局装置。
【請求項７】
前記複数の他の無線装置は、前記第１セルと隣接し前記第１周波数帯が使用される第３セルを形成する第３無線装置と、前記第２セルと隣接し前記第３セルと重畳する、前記第２周波数帯が使用される第４セルを形成する第４無線装置とを含み、
前記無線制御装置は、前記障害状態が検出された前記第１無線装置又は前記第２無線装置に係る信号処理用のリソースを、前記第３無線装置及び前記第４無線装置に割り当てる、
請求項６に記載の基地局装置。
【請求項８】
他の無線装置によって形成される第１周波数帯が使用される第１セルと重畳する第２セルを形成し、前記他の無線装置とともに無線制御装置と接続される無線装置であって、
前記他の無線装置の障害状態を監視する監視部と、
前記監視部が前記他の無線装置の障害状態を検出した場合に前記第２セルに対する送信
出力を低下させる制御部とを含む
無線装置。
【請求項９】
他の無線装置によって形成される第１周波数帯が使用される第１セルと重畳する第２セルを形成し、前記他の無線装置とともに無線制御装置と接続される無線装置が、
前記他の無線装置の障害状態を監視し、
前記他の無線装置の障害状態を検出した場合に前記第２セルに送信する電波の送信出力を低下させる
ことを含む送信出力の制御方法。
【発明の詳細な説明】
【技術分野】
【０００１】
本開示は、基地局装置に関する。
【背景技術】
【０００２】
３ＧＰＰ（3rd Generation Partnership Project）によって仕様化された無線通信方式の規格の一つに、3GPP Release.8としてリリースされたＬＴＥ（Long Term Evolution）
がある。ＬＴＥでは、基地局装置（ｅＮｏｄｅ  Ｂと呼ばれる）が、アンテナを含む無線部（無線装置）と制御・ベースバンド部（「無線制御部（無線制御装置）」、「ベースバンド部」とも呼ばれる）とに分離され、両者が通信インタフェースで接続される。
【０００３】
ＬＴＥにおいて、無線部（無線装置）は、ＲＲＨ（Radio Remote Head）と呼ばれ、制
御・ベースバンド処理部（無線制御装置）は、ＢＢＵ（Base Band Unit）と呼ばれる。また、ＢＢＵは、ＢＤＥ（Base station Digital processing Equipment）と呼ばれ、ＲＲ
Ｈは、ＲＥ（Radio processing Equipment）と呼ばれることもある。
【先行技術文献】
【特許文献】
【０００４】
【特許文献１】特許第４８２９９７０号公報
【特許文献２】特開２００９−１２４３３５号公報
【発明の概要】
【発明が解決しようとする課題】
【０００５】
ＢＢＵが二つのＲＲＨと接続され、二つのＲＲＨが異なる周波数帯を使用し、且つＲＲＨによって形成されるセルがオーバレイ（重畳）する環境下で運用されることがある。このような環境は、例えば、異なる複数の周波数帯を一つの帯域として利用することにより平均スループットの向上を図るキャリアアグリゲーション技術を適用するために用意される。
【０００６】
当該環境下では、ＢＢＵは、一方のＲＲＨで使用される第１の周波数帯での通信に係る信号処理と、他方のＲＲＨで使用される第２の周波数帯での通信に係る信号処理とを行う。このような環境下において、一方のＲＲＨが故障し、当該ＲＲＨが使用していた周波数帯の無線リソースを使用するリンクが切断され、当該ＲＲＨの配下の移動端末が当該ＲＲＨとの通信を継続できなくなったケースを仮定する。このようなケースでは、移動端末は、例えば、現在位置において受信される各セル（故障したＲＲＨのセルとオーバレイされている他方のＲＲＨのセル、及び隣接セル）からの電波強度を計測し、電波強度が最も強いセル（基地局）への接続を試みようとする。
【０００７】
このとき、他方のＲＲＨからの電波強度が最も強い場合には、故障したＲＲＨと接続されていた複数の移動端末が一斉に他方のＲＲＨとの再接続を試行する。これによって、ＢＢＵに対し、第２の周波数帯に関する複数の移動端末からの接続要求が集中（輻輳）し、ＢＢＵが過負荷状態となる虞があった。
【０００８】
本開示は、上記問題に鑑みなされたものであり、無線制御装置と接続された無線装置の障害により無線制御装置に移動端末の接続要求が集中することによる負荷上昇を低減することのできる基地局装置を提供することを目的とする。
【課題を解決するための手段】
【０００９】
本発明の実施例は、第１周波数帯が使用される第１セルを形成する第１無線装置と、前記第１セルと重畳する、前記第１周波数帯と異なる第２周波数帯が使用される第２セルを形成する第２無線装置と、前記第１無線装置及び前記第２無線装置と接続され、前記第１無線装置及び前記第２無線装置のそれぞれにおいて送受信される信号の処理を行う無線制御装置とを含み、前記第１無線装置及び前記第２無線装置のそれぞれは、前記第１無線装置と前記第２無線装置との間で相手方の無線装置の障害状態を監視する監視部と、前記監視部が相手方の無線装置の障害状態を検出した場合に自装置が形成する前記第１セル又は前記第２セルに対する送信出力を低下させる制御部とを含む基地局装置である。
【発明の効果】
【００１０】
本開示によれば、無線制御装置と接続された無線装置の障害により無線制御装置に移動端末の接続要求が集中することによる負荷上昇を低減することができる。
【図面の簡単な説明】
【００１１】
【図１】図１は、実施形態に係る基地局装置を含むシステム構成例を示す。
【図２】図２は、基地局装置によって形成されるセルの様子を例示する。
【図３】図３は、実施形態の作用説明図である。
【図４】図４は、複数の周波数帯を選択的に使用可能な移動端末に関する送信電力制御のシーケンスを示す。
【図５】図５は、複数の周波数帯を選択的に使用可能な移動端末に関する送信電力制御のシーケンスを示す。
【図６】図６は、送信電力変更の説明図である。
【図７】図７は、キャリアアグリゲーションサポート端末である移動端末に対するシーケンス例を示す。
【図８】図８は、ＢＢＵの機能ブロック構成例を示す図である。
【図９】図９は、ＢＢＵのハードウェア構成例を示す図である。
【図１０】図１０は、ＤＢ−ＲＲＨの機能的な構成例を示す。
【図１１】図１１は、ＤＢ−ＲＲＨのハードウェア構成例を示す。
【図１２】図１２は、送信電力制御の動作例を示すフローチャートである。
【図１３】図１３は、段階的な送信出力制御の例を示す。
【図１４】図１４は、段階的な送信出力制御の例を示す。
【図１５】図１５は、実施形態２に係るＤＢ−ＲＲＨの構成例を示す。
【図１６】図１６は、図１５に示したＤＢ−ＲＲＨのハードウェア構成例を示す。
【図１７】図１７は、実施形態２における動作例を示すフローチャートである。
【図１８】図１８は、実施形態の変形例の説明図である。
【発明を実施するための形態】
【００１２】
以下、図面を参照して本発明の実施形態について説明する。実施形態の構成は零時であり、本発明は実施形態の構成に限定されない。
[実施形態１]
＜システム構成＞
【００１３】
図１は、実施形態に係る基地局装置を含むシステム構成例を示す。図１において、基地局装置（eNode Bと呼ばれる）１０は、ＢＢＵ１１と、ＢＢＵ１１に接続された複数のデ
ュアルバンドＲＲＨ（Dual Band RRH：以下、ＤＢ−ＲＲＨと表記）１２とを含む。ＤＢ
−ＲＲＨ１２は、異なる周波数帯を使用する２つのＲＲＨ１３が１つの筺体に収容された装置である。図１には、３つのＤＢ−ＲＲＨ１２（ＤＢ−ＲＲＨ１２Ａ，ＤＢ−ＲＲＨ１２Ｂ，ＤＢ−ＲＲＨ１２Ｃ）が例示されている。
【００１４】
ＤＢ−ＲＲＨ１２Ａは、第１の周波数帯（周波数帯ｆ１）を使用する第１のＲＲＨ１３
（ＲＲＨ１３Ａ）と、第２の周波数帯（周波数帯ｆ２）を使用する第２のＲＲＨ１３（ＲＲＨ１３Ｂ）とを含んでいる。ＤＢ−ＲＲＨ１２Ｂは、ＤＢ−ＲＲＨ１２Ａと同一の構成を有し、第１の周波数帯（周波数帯ｆ１）を使用する第１のＲＲＨ１３（ＲＲＨ１３Ｃ）と、第２の周波数帯（周波数帯ｆ２）を使用する第２のＲＲＨ１３（ＲＲＨ１３Ｄ）とを含んでいる。ＤＢ−ＲＲＨ１２Ｃも、ＤＢ−ＲＲＨ１２Ａと同一の構成を有し、第１の周波数帯（周波数帯ｆ１）を使用する第１のＲＲＨ１３（ＲＲＨ１３Ｅ）と、第２の周波数帯（周波数帯ｆ２）を使用する第２のＲＲＨ１３（ＲＲＨ１３Ｆ）とを含んでいる。
【００１５】
ここに、ＢＢＵ１１は、無線制御装置の一例である。ＤＢ−ＲＲＨ１２に含まれた周波数帯ｆ１を使用するＲＲＨ１３（ＲＲＨ１３Ａ，ＲＲＨ１３Ｃ，ＲＲＨ１３Ｅのそれぞれ）は、第１無線装置の一例であり、周波数帯ｆ２を使用するＲＲＨ１３（ＲＲＨ１３Ｂ，ＲＲＨ１３Ｄ，ＲＲＨ１３Ｆのそれぞれ）は第２無線装置の一例である。なお、ＢＢＵ１１は、Ｓ１インタフェースを介して基地局装置１０の上位装置であるＭＭＥ／ＵＰＥ（ Mobile Management Entity/User Plane Entity）１４に接続される。ＭＭＥ／ＵＰＥ１４
は、コアネットワークに配置されるコアネットワーク装置であり、移動端末の位置登録、コアネットワークと外部ネットワーク（例えばＩＰ網）との接続処理を行う。Ｓ１インタフェースは、ＢＢＵ１１とＭＭＥ／ＵＰＥ１４を結ぶ伝送路上に設けられる。伝送路は、例えば、イーサネット（登録商標）のようなＬＡＮ（Local Area Network）である。
【００１６】
各ＤＢ−ＲＲＨ１２に含まれる二つのＲＲＨ１３は、周波数帯の異なる、重畳（オーバレイ）した二つのセル（セクタ）を形成する。本明細書において、「セル」は、セクタを含む概念である。
【００１７】
図２は、基地局装置１０によって形成されるセルの様子を例示する。図２に示す例では、ＤＢ−ＲＲＨ１２Ａが、ＲＲＨ１３Ａによって形成され、且つ周波数帯ｆ１が使用されるセルＣ１と、ＲＲＨ１３Ｂによって形成され、セルＣ１と重畳（オーバレイ）し、且つ周波数帯ｆ２が使用されるセルＣ２とを形成する。ＤＢ−ＲＲＨ１２Ｂも、同様に、ＲＲＨ１３Ｃ及びＲＲＨ１３Ｄによって、周波数帯ｆ１が使用されるセルＣ３と、周波数帯ｆ２が使用されるセルＣ４とを形成する。ＤＢ−ＲＲＨ１２Ｃも、同様に、ＲＲＨ１３Ｅ及びＲＲＨ１３Ｆによって、周波数帯ｆ１が使用されるセルＣ５と、周波数帯ｆ２が使用されるセルＣ６とを形成する。なお、キャリアアグリゲーションが実施される場合には、上記のセルＣ１及びＣ２の組、セルＣ３及びＣ４の組、セルＣ５及びＣ６の組は、同一のセルとして扱われるが、本明細書では、説明のために別のセルとして説明する。
【００１８】
セルＣ３及びＣ４、セルＣ５及びＣ６は、それぞれ重畳している。セルＣ３及びＣ５は、セルＣ１に対する隣接セル（周辺セル）として機能し、セルＣ４及びＣ６は、セルＣ２に対する隣接セルとして機能するように、それぞれセル間での重複領域を有している。本明細書において、重畳（オーバレイ）の語は、一部重複（オーバーラップ）を含む。
【００１９】
各セルＣ１〜Ｃ６に在圏する移動端末は、セルを形成するＲＲＨ１３に接続することで、基地局装置１０と接続される。基地局装置１０に接続された移動端末は、コアネットワークを通じてＩＰ（Internet Protocol）網やインターネット（登録商標）に接続された
端末や、セルに在圏する他の移動端末と通信を行うことができる。なお、ＢＢＵ１１に接続されるＤＢ−ＲＲＨ１２（ＲＲＨ）の数は、ＢＢＵ１１での収容が許容される限り、２以上の数字の１つを選択できる。また、ＢＢＵ１１に接続された隣接セルを形成するＲＲＨは、ＤＢ−ＲＲＨに限定されず、通常のＲＲＨを適用可能である。
＜基地局装置における送信電力制御方法＞
【００２０】
図１及び図２に示した基地局装置１０の構成において、例えば、セルＣ１を形成するＲＲＨ１３Ａに障害（異常）が発生する場合を仮定する。例えば、ＲＲＨ１３Ａに含まれる
ＲＦアンプに障害が生じた場合を想定する。
【００２１】
この場合、セルＣ１に在圏する各移動端末と、ＲＲＨ１３Ａとの無線リンクが切断される。セルＣ１から切断された各移動端末は、セルサーチを実行し、他のセルへの接続を試行する。セルサーチによって、複数のセルが見つかった場合には、所望の無線品質を確保可能なセルの一つが接続先として選択される。
【００２２】
ここで、セルサーチの結果、セルＣ２だけでなく、隣接セルＣ３〜Ｃ６が見つかることが起こり得る。この場合、所定の選択基準（例えば、電波強度）に照らして、２以上のセルから１つのセルが接続先として決定される。
【００２３】
電波強度の測定結果によっては、セルＣ１から切断された移動端末の大半がセルＣ２を接続先として決定することが起こり得る。この場合、各移動端末からＲＲＨ１３Ｂへの接続要求が集中的に発生する。この結果、ＢＢＵ１１においてセルＣ２との接続に係る処理（ランダムアクセス処理）が輻輳し、ＢＢＵ１１の過負荷を要因とするエラーが生じる虞があった。
【００２４】
本実施形態では、図３に示すように、セルＣ１を形成するＤＢ−ＲＲＨ１２ＡのＲＲＨ１３Ａの障害時（セルＣ１を破線で図示）に、ＤＢ−ＲＲＨ１２ＡのＲＲＨ１３Ｂに対する送信電力制御、すなわち、送信電力の低下を行う。送信電力が低下することで、セルＣ２のサイズ（セル半径）が縮小する。セルＣ２のサイズが縮小することによって、隣接セルとの境界に位置していたセルＣ１の移動端末２０は、再接続先として、隣接セル（セルＣ３〜Ｃ６のいずれか）を選択する。従って、セルＣ２への接続に係る信号処理（ランダムアクセス処理等）の量が、送信電力制御が行われない場合に比べて減少することが期待される。すなわち、ＢＢＵ１１の負荷軽減が図られる。
＜＜複数周波数帯を選択的に使用可能な移動端末に係るシーケンス＞＞
【００２５】
図４及び図５は、複数の周波数帯（例えば周波数帯ｆ１及びｆ２）を選択的に使用可能な移動端末（ＵＥ：User Equipment）２０に関する送信電力制御のシーケンスを示す。図４において、移動端末２０は、周波数帯ｆ１を使用し、セルＣ１と接続されていると仮定する。
【００２６】
セルＣ１を形成するＤＢ−ＲＲＨ１２ＡのＲＲＨ１３Ａ（DB-RRH#1(Band f1)）で異常
（障害）が発生すると（図４＜１＞）、障害通知がＤＢ−ＲＲＨ１２ＡのＲＲＨ１３Ｂ（DB-RRH#1(Band f2)）に送られる（図４＜２＞）。その後、ＲＲＨ１３Ａは、セルＣ１に
対する送信出力を停止する（図４＜３＞）。但し、障害によって停止の意図なく送信出力が停止されることもあり得る。
【００２７】
ここに、ＤＢ−ＲＲＨ１２に収容される二つのＲＲＨ１３の一方（例えば、ＲＲＨ１３Ａ）は、他方のＲＲＨ１３（ＲＲＨ１３Ｂ）を相手方とし、他方のＲＲＨ１３Ｂは、一方のＲＲＨ１３Ａを相手方として、相互監視を行う。監視の結果、相手方であるＲＲＨ１３Ａからの障害通知が検出されることで、ＲＲＨ１３ＢにてＲＲＨ１３Ａの障害が検出される（図４＜４＞）。
【００２８】
障害を検出したＲＲＨ１３Ｂは、送信電力を変更する（図４＜５＞）。すなわち、ＲＲＨ１３Ｂは、送信電力を低下させる。これによって、セルＣ２のサイズが縮小する（セル半径が狭められる）。図６は、送信電力変更の説明図である。
【００２９】
図６には、ＲＲＨからの距離と、無線品質と、所望の無線品質（通信品質）が確保される閾値との関係を示すグラフが示されている。グラフにおいて、送信電力の低下が図られ
る前では、閾値に対するＲＲＨからの最長距離はＡである。これに対し、送信電力低下が実行されると、閾値に対するＲＲＨからの最長距離はＢとなる。
【００３０】
従って、セルＣ２を形成するＲＲＨ１３Ｂとの距離が距離Ａと距離Ｂとの間にある移動端末２０は、セルサーチによってセルＣ２を発見できないか、セルＣ２と接続した場合の無線品質は、閾値を下回る。このため、距離Ａと距離Ｂとの間に位置する移動端末２０は、再接続先としてセルＣ２を選択することはなく、他のセルを接続先として決定することになる。これによって、セルＣ１への送信出力停止によって発生するセルＣ２への接続要求の数を減らすことができる。
【００３１】
なお、閾値と対比される無線品質の指標として、例えば、受信信号強度（Received Signal Strength Indication：RSSI），信号対干渉比（Signal to Interference Ratio：SIR），伝搬損失の少なくとも１つを適用することができる。
【００３２】
図４に戻って、ＲＲＨ１３Ｂは、ＢＢＵ１１にＲＲＨ１３Ａの障害情報を送信する（図４＜５＞）。このように、障害通知を受信したＲＲＨ（障害が発生していない側のＲＲＨ）が相手方の障害情報をＢＢＵ１１に送信することによって、確実に障害情報をＢＢＵ１１に伝達することができる。
【００３３】
ＢＢＵ１１は、障害情報を検出すると（図４＜８＞）、選択的な処理として、以下の処理を行うことができる。すなわち、ＢＢＵ１１は、ＢＢＵ１１の内部リソース調整を行う（図４＜９＞）。
【００３４】
ＲＲＨ１３Ａにて送信出力が停止されることによって、ＲＲＨ１３Ａで送受信される信号処理用の内部リソース（セルＣ１用の内部リソース）は、事実上未使用状態となる。このため、ＢＢＵ１１は、セルＣ１用の内部リソースを、他のセルＣ２〜Ｃ６の少なくとも１つに割り当てることができる。内部リソースは、例えば、各セルＣ２〜Ｃ６に対する信号処理の負荷状況に応じて調整（分配）することができる。また、セルＣ２のサイズが縮小されることで、セルＣ２に接続する移動端末の数が確実に減少することが明らかである場合には、セルＣ２用の内部リソースの一部を他のセル用に割り当てることも可能である。これによって、内部リソースの有効利用を図ることができる。
【００３５】
なお、ＢＢＵ１１は、内部リソースの割り当て変更を行った場合には、変更前の状態を記憶し、ＲＲＨ１３Ａが障害状態から復旧に合わせて内部リソースの割り当て状態を元の状態に戻す。
【００３６】
ところで、セルＣ１に在圏する移動端末（ＵＥ：User Equipment）２０であって、ＲＲＨ１３Ｂとの距離が図５に示した距離Ａと距離Ｂとの間に位置する移動端末２０は、ＲＲＨ１３Ａの送信出力が停止されることによって、ＲＲＨ１３Ａからの電波を受信できなくなる。このため、移動端末２０は、受信電力低下を検出する（図４＜１０＞）。すると、移動端末２０は、所望の通信品質（無線品質）が確保されているか否かを判定する（図４＜１１＞）。
【００３７】
すなわち、移動端末２０は、測定した無線品質の指標値が予め保持する所定の閾値未満となるか否かを判定する。指標値が閾値以上の場合（図４＜１１＞のＹ）には、移動端末２０は、現在のセル（現状セル）との接続を継続する（図４＜１２＞）。但し、図４のシーケンスでは、セルＣ１からの電波を受信できなくなるため、無線品質は閾値未満となる（図４＜１１＞のＮ）。
【００３８】
無線品質が閾値未満の場合では、移動端末２０は、セルＣ１との切断処理を行い、セル
サーチ処理を起動する（図４＜１３＞）。図４では、セルサーチによって、ＲＲＨ１３Ｂ（セルＣ２）からのセルサーチ情報が受信される（図４＜１４＞）。また、ＲＲＨ１３Ｃ，ＲＲＨ１３Ｄ（セルＣ３，セルＣ４）からのセルサーチ情報が受信される（図４＜１５＞）。
【００３９】
移動端末２０は、各セルサーチ情報に含まれる周波数帯情報を参照して、移動端末２０が使用していた周波数帯（周波数帯ｆ１）と同一周波数帯のセルがあるか否かを判定する（図４＜１６＞）。同一周波数帯のセルがある場合には（＜１６＞のＹ）、処理が図５の＜２９＞へ進む。例えば、移動端末２０が、ＲＲＨ１３Ｃからのセルサーチ情報を受信できた場合に、処理が＜２９＞へ進む。
これに対し、同一周波数帯のセルがない場合には（＜１６＞のＮ）、移動端末２０は、周波数帯ｆ１と異なる他の周波数帯（周波数帯ｆ２）のセルがあるか否かを判定する（図４＜１６Ａ＞）。このとき、他の周波数帯（周波数帯ｆ２）のセルがなければ（図４＜１６Ａ＞のＮ）、セルサーチが継続される（セルからの電波の待ち受け状態となる）。
【００４０】
移動端末２０は、ＲＲＨ１３Ｂ及びＲＲＨ１３Ｄからのセルサーチ情報に基づき、他の周波数帯ｆ２のセルがあると判定することができた場合には（＜１６Ａ＞のＹ）、セルの品質測定処理を行う（図４＜１７＞）。すなわち、移動端末２０は、ＲＲＨ１３Ｂ（セルＣ３）及びＲＲＨ１３Ｄ（セルＣ４）からの無線電波に対する無線品質指標値の測定を行う。続いて、移動端末２０は、移動（接続）可能なセルがあるか否かを判定する（図４＜１８＞）。
【００４１】
上記したように、移動端末２０が距離Ａと距離Ｂとの間に位置する場合には、所望の無線品質を確保できない（無線品質が閾値を上回らない）ため、ＲＲＨ１３ＢのセルＣ２が再接続先として選択されることが回避される。ここで、ＲＲＨ１３Ｄからの電波が所望の無線品質を確保できる（閾値以上）場合には、隣接セル（周辺セル）であるＲＲＨ１３ＤのセルＣ４が接続先として選択される。なお、ＲＲＨ１３Ｂ及びＲＲＨ１３Ｄからの電波の無線品質がともに閾値以下の場合には、セルサーチが継続される。
【００４２】
図４の例では、例えば、ＲＲＨ１３Ｄからの電波の無線品質が閾値以上となり、セルＣ４への移動が可能と判定される。移動端末２０は、ＢＢＵ１１から送信された報知情報をＲＲＨ１３Ｄを通じて受信し（図４＜１９＞）、セルＣ４への接続処理であるランダムアクセス処理を開始する（図４＜２０＞）。
【００４３】
移動端末２０は、セルＣ４への接続要求としてのランダムアクセス要求メッセージを送信する（図４＜２１＞）。ランダムアクセス要求メッセージは、ＲＲＨ１３Ｄを通じてＢＢＵ１１で受信される（図４＜２２＞及び＜２３＞）。ランダムアクセス要求受信を契機として、移動端末２０とＢＢＵ１１との間の無線リンクを確立するための処理手順であるランダムアクセス手順がＢＢＵ１１とＭＭＥ／ＵＰＥ１４との間で実施される。そして、ＢＢＵ１１からランダムアクセス応答メッセージが送信され（図４＜２４＞）、移動端末２０で受信される（図４＜２５＞）ことで、ＢＢＵ１１と移動端末２０との間の無線リンクが確立される（図４＜２６＞，＜２７＞）。
【００４４】
ところで、同一周波数帯の周辺セルがある場合（＜１６＞のＹ）には、移動端末２０は、周辺セルの品質測定処理を行う（図５＜２９＞）。すなわち、移動端末２０は、ＲＲＨ１３Ｃ（セルＣ３）からの無線電波に対する無線品質指標値の測定を行う。
【００４５】
続いて、移動端末２０は、当該周辺セル（セルＣ３）へ移動（接続）可能か否かを判定する（図５＜３０＞）。例えば、移動端末２０は、無線品質指標値が、閾値を上回る場合に、周辺セルへ移動（接続）可能と判定する。なお、無線品質指標値が閾値未満の場合に
は、移動端末２０はセルサーチを継続する。
【００４６】
図５の例では、例えば、セルＣ３からの電波の無線品質が閾値を上回り、セルＣ３への移動が可能と判定される場合を仮定する。この場合、移動端末２０は、ＢＢＵ１１から送信された報知情報をＲＲＨ１３Ｃを通じて受信し（図５＜３１＞）、セルＣ３への接続処理であるランダムアクセス処理を開始する（図５＜３２＞）。
【００４７】
移動端末２０は、セルＣ３への接続要求としてのランダムアクセス要求メッセージを送信する（図５＜３３＞）。ランダムアクセス要求メッセージは、ＲＲＨ１３Ｃを通じてＢＢＵ１１で受信される（図５＜３４＞及び＜３５＞）。ランダムアクセス要求受信を契機として、ランダムアクセス手順がＢＢＵ１１とＭＭＥ／ＵＰＥ１４との間で実施される。そして、ＢＢＵ１１からランダムアクセス応答メッセージが送信され（図５＜３６＞）、移動端末２０で受信される（図５＜３７＞）ことで、ＢＢＵ１１と移動端末２０との間のＲＲＨ１３Ｃを通じたリンクが確立される（図５＜３８＞，＜３９＞）。
【００４８】
なお、上記例では、切断前に使用していた周波数帯ｆ１と同一の周波数帯に対するセルサーチが先に実施されている。但し、周波数帯ｆ１と異なる周波数帯ｆ２に対するセルサーチが先に実施されるようにしても良い。この場合、ＲＲＨ１３Ｄからの電波の無線品質が閾値を超える場合には、セルＣ４への接続処理が行われる。逆に、ＲＲＨ１３Ｄからの電波の無線品質が閾値未満の場合には、周波数帯ｆ１に対するセルサーチが実施され、移動端末２０の位置に応じてセルＣ３又はセルＣ５への接続が試行される。
＜＜キャリアアグリゲーションサポート端末の場合のシーケンス＞＞
【００４９】
セルＣ１に在圏する移動端末は、上記したような複数の周波数帯を選択的に使用可能な移動端末だけでなく、複数の周波数帯を一つの帯域として利用するキャリアアグリゲーション技術をサポート可能な移動端末（キャリアアグリゲーションサポート端末）も含まれ得る。このようなキャリアアグリゲーションサポート端末は、周波数帯ｆ１及びｆ２（セルＣ１及びセルＣ２，セルＣ３及びセルＣ４，セルＣ５及びセルＣ６）を用いたキャリアアグリゲーションで通信を行うことができる。このようなキャリアアグリゲーション端末でも、制御チャネルが格納されている周波数帯（例えば周波数帯ｆ１）とのリンクが切断された場合には、切断されたリンクの周波数帯ｆ１と異なる周波数帯ｆ２を使用するセルへの再接続を試行する。
【００５０】
このとき、結果として、周波数帯ｆ２を使用する複数のセルの中から、セルＣ２が選択されると、セルＣ２への接続要求が輻輳する要因となる。このため、キャリアアグリゲーションサポート端末においても、隣接セル（周辺セル）への接続を促すべく、図４に示したシーケンスにおける処理と同様の処理が、基地局装置１０にて実行される。
【００５１】
図７は、キャリアアグリゲーションサポート端末である移動端末２０Ａに対するシーケンス例を示す。移動端末２０Ａは、セルＣ１及びセルＣ２に接続し、周波数帯ｆ１及び周波数帯ｆ２を用いたキャリアアグリゲーションによる通信を行っていると仮定する。さらに、移動端末２０ＡとＲＲＨ１３Ｂとの距離が、図６に示した距離Ａと距離Ｂとの間にあると仮定する。
【００５２】
図７における基地局装置１０（ＲＲＨ１３Ａ，ＲＲＨ１３Ｂ，ＢＢＵ１１）の動作（図７＜１＞〜＜９＞）は、図４に示した＜１＞〜＜９＞の動作と同様であるため説明を省略する。
【００５３】
移動端末２０Ａは、ＲＲＨ１３Ａの送信出力が停止されることによって、セルＣ１からの電波の受信電力低下（送信出力断）を検出し、セルＣ１との切断処理を行う（図７＜１
０＞）。続いて、ＲＲＨ１３Ｂが送信電力を低下したことを原因として、移動端末２０Ａは、ＲＲＨ１３Ｂからの受信電力低下を検出する（図７＜１１＞）。
【００５４】
すると、移動端末２０Ａは、通信品質が確保されるか否かを判定する（図７＜１２＞）。すなわち、移動端末２０Ａは、ＲＲＨ１３Ｂに関して測定した無線品質の指標値が閾値未満となるか否かを判定する。指標値が閾値以上の場合（図７＜１２＞のＹ）には、移動端末２０Ａは、現在のセル（現状セル）との接続を継続する（図７＜１３＞）。しかし、図７のシーケンスでは、送信出力低下によって、無線品質は閾値未満となる（図７＜１２＞のＮ）。
【００５５】
このため、移動端末２０Ａは、隣接セル（周辺セル）のセルサーチ処理を起動する（図７＜１４＞）。セルサーチによって、ＲＲＨ１３Ｃ，ＲＲＨ１３Ｄ（セルＣ３，セルＣ４）からのセルサーチ情報が受信される（図７＜１５＞）。
【００５６】
移動端末２０Ａは、各セルサーチ情報に含まれるセルＣ３，セルＣ４の情報を用いて、ＲＲＨ１３Ｃ，ＲＲＨ１３Ｄからの電波の無線品質の指標値を測定する（図７＜１６＞）。続いて、移動端末２０Ａは、無線品質の指標値の測定結果に基づき、セルＣ３及びセルＣ４への移動（接続）が可能か否かを判定する（図７＜１７＞）。当該判定は、上述したように測定された指標値と閾値との対比によって行われる。このとき、セルＣ３及びセルＣ４の無線品質が閾値未満の場合（図７＜１７＞のＮ）には、セルサーチが継続される。
【００５７】
これに対し、セルＣ３及びセルＣ４の無線品質がともに閾値以上である場合（図７＜１７＞のＹ）には、移動端末２０Ａは、ＢＢＵ１１から送信される、セルＣ３及びセルＣ４の報知情報をＲＲＨ１３Ｃ及びＲＲＨ１３Ｄを通じて受信する（図７＜１８＞）。そして、移動端末２０Ａは、セルＣ３及びセルＣ４への接続処理であるランダムアクセス処理を開始する（図７＜１９＞）。
【００５８】
移動端末２０Ａは、セルＣ３及びセルＣ４のそれぞれに対するランダムアクセス要求メッセージを送信する（図７＜２０＞）。セルＣ３に係るランダムアクセス要求メッセージは、ＲＲＨ１３Ｃを通じてＢＢＵ１１に受信され、セルＣ４に係るランダムアクセス要求メッセージは、ＲＲＨ１３Ｄを通じてＢＢＵ１１で受信される（図７＜２１＞）。
【００５９】
ランダムアクセス要求受信を契機として、移動端末２０とＢＢＵ１１との間のセルＣ３及びＣ４に係る二つの無線リンクを確立するための処理手順であるランダムアクセス手順が、ＢＢＵ１１とＭＭＥ／ＵＰＥ１４との間でそれぞれ実施される。
【００６０】
そして、ＢＢＵ１１からセルＣ３及びセルＣ４のそれぞれに係るランダムアクセス応答メッセージが送信され（図７＜２３＞）、移動端末２０Ａで受信される（図７＜２４＞）。これによって、ＢＢＵ１１と移動端末２０Ａとの間の二つの無線リンクが確立される（図７＜２５＞，＜２６＞）。移動端末２０Ａは、セルＣ３及びセルＣ４の接続を用いて、キャリアアグリゲーションを用いた通信を行うことができる。
【００６１】
このように、キャリアアグリゲーションサポート端末（移動端末２０Ａ）は、セルＣ２の縮小によって無線品質が閾値未満となる位置に存している場合には、ＲＲＨ１３Ａの送信出力停止を契機として、強制的に隣接セルに再接続することになる。よって、セルＣ２への接続要求の数が減るため、ＢＢＵ１１の負荷が軽減される。
【００６２】
あるいは、移動端末２０Ａの位置によっては、図７＜１７＞の処理において、隣接セルへの移動ができないと判定される場合がある。この場合には、移動端末２０Ａは、他のセルへの接続を行うことができない状態となる。但し、この場合でも、ＢＢＵ１１における
セルＣ２用の処理の増加が回避されるので、ＢＢＵ１１での処理の輻輳回避、過負荷回避が図られる。
【００６３】
以上のように、本実施形態では、移動端末として、既存の複数の周波数帯を選択的に利用可能な移動端末、及び既存のキャリアアグリゲーションサポート端末を適用することができる。
【００６４】
なお、図４，５，７に示したシーケンスでは、セルＣ１（ＲＲＨ１３Ａ）に着目したが、セルＣ２（ＲＲＨ１３Ｂ）の障害時には、セルＣ１（ＲＲＨ１３Ａ）の送信出力低下が実行され、セルＣ１のセル半径が狭められる。ＤＢ−ＲＲＨ１２Ｂ，ＤＢ−ＲＲＨ１２Ｃのそれぞれは、図４，５，７に示したＤＢ−ＲＲＨ１２Ａの動作と同様の動作を行うことができる。
【００６５】
なお、図４，５，７に示したシーケンスにおいて、セルＣ１に単一の周波数帯（周波数帯ｆ１）のみを使用可能な移動端末が在圏していた場合には、当該移動端末は、セルＣ１に係る送信出力が停止されることによって、同一の周波数帯ｆ１が使用される隣接セルをサーチし、無線品質を満たす隣接セルが見つかった場合には、当該隣接セルへ接続する。
＜ＢＢＵの構成＞
【００６６】
次に、ＢＢＵ１１の構成例について説明する。図８は、ＢＢＵ１１の機能ブロック構成例を示す図であり、図９は、ＢＢＵ１１のハードウェア構成例を示す図である。
【００６７】
図８において、ＢＢＵ１１は、伝送路インタフェース１１１と、伝送路インタフェース１１１に接続されたベースバンド（ＢＢ）処理部１１２と、ベースバンド処理部１１２と接続された電気／光（Ｅ／Ｏ）変換部１１３とを含んでいる。また、ＢＢＵ１１は、伝送路インタフェース１１１に接続されたタイミング制御部１１５と、伝送路インタフェース１１１，ベースバンド処理部１１２，タイミング制御部１１５と接続された制御部１１４とを含む。さらに、ＢＢＵ１１は、電源（Power Supply: PS）部１１６を含んでいる。
【００６８】
伝送路インタフェース１１１は、Ｓ１インタフェース（ＭＭＥ／ＵＰＥ１４とのインタフェース）及びＸ２インタフェース（他基地局とのインタフェース）の回線終端処理、及びＩＰレイヤのプロトコル処理を行う。伝送路インタフェース１１１には、ＬＡＮ（例えばイーサネット（登録商標））のような伝送路が接続され、ＩＰパケットの送受信を行う。
【００６９】
ベースバンド処理部１１２は、伝送路インタフェース１１１で送受信されるＩＰパケットと、ＲＲＨ−移動端末間の無線リンクで送受信されるＯＦＤＭ（Orthogonal Frequency
Division Multiplexing）信号との変換（変復調）処理を行う。
【００７０】
具体的には、ベースバンド処理部１１２は、無線リンク制御（Radio Link Control：ＲＬＣ），パケットデータ収束（Packet Data Convergence Protocol：ＰＤＣＰ），メディアアクセス制御（Media Access Control），物理（ＰＨＹ）のような各レイヤのプロトコル処理を行う。また、ベースバンド処理部１１２は、ＩＰパケットをＯＦＤＭ信号（ベースバンド信号：ＩＱ信号とも呼ばれる）に変換するための多値変調処理やＯＦＤＭ処理を行う。
【００７１】
また、ベースバンド処理部１１２は、ＢＢＵ−ＲＲＨ間インタフェースプロトコルに係る処理も行う。ＢＢＵ−ＲＲＨ間インタフェースとして、例えば、ＣＰＲＩ（Common Public Radio Interface）が適用される。ベースバンド処理部１１２は、ＣＰＲＩプロトコ
ルに係る処理を実行する。例えば、ベースバンド処理部１１２は、ベースバンド信号をＩ
Ｑ信号としてＣＰＲＩインタフェース上へマッピングしてＣＰＲＩインタフェース信号を生成する処理、及びＣＰＲＩインタフェース信号をベースバンド信号に変換する処理を行う。
【００７２】
さらに、ベースバンド処理部１１２は、ＭＩＭＯ（Multiple Input Multiple Output）処理のような物理（ＰＨＹ）インタフェースにおける信号処理を行う。ベースバンド処理部１１２における各種の処理は、ＲＲＨ（セル）単位で実行される。
【００７３】
Ｅ／Ｏ変換部１１３は、ＤＢ−ＲＲＨ１２と接続された光回線（光ファイバ）を収容する。Ｅ／Ｏ変換部１１３は、ＣＰＲＩインタフェース上にＩＱ信号としてマッピングされたベースバンド信号（ＯＦＤＭ信号）であるＣＰＲＩインタフェース信号を光信号に変換（Ｅ／Ｏ変換）してＤＢ−ＲＲＨ１２へ送出する処理、及び光ファイバから受信された光信号をＣＰＲＩインタフェース信号に変換（Ｏ／Ｅ変換）する処理を行う。
【００７４】
制御部１１４は、呼制御処理や、装置内障害情報収集のような監視制御処理を行う。監視制御処理の一つとして、制御部１１４は、ベースバンド処理部１１２で行われる信号処理用の内部リソースの割当制御を行う。
【００７５】
タイミング制御部１１５は、伝送路インタフェース１１１で抽出されたクロック信号、或いはＧＰＳ（Global Positioning System）信号から生成した基準タイミング信号を元
に、伝送路インタフェース１１１，ベースバンド処理部１１２，Ｅ／Ｏ変換部１１３，制御部１１４へ分配するクロック信号を生成する。
電源部１１６は、動作用電力を伝送路インタフェース１１１，ベースバンド処理部１１２，Ｅ／Ｏ変換部１１３，制御部１１４に供給する。
【００７６】
図９に示すように、図８に示した伝送路インタフェース１１１は、例えば、ＰＨＹ及びＬＡＮの収容機能１１１Ａ、レイヤ２スイッチ（Ｌ２ＳＷ）機能１１１Ｂを実現する電子回路（インタフェース回路）によって実現することができる。例えば、伝送路インタフェースとして既存のネットワークカード（ネットワークインタフェースカード：ＮＩＣ）を適用することができる。
【００７７】
また、ベースバンド処理部１１２は、上記した各処理を実行するＦＰＧＡ（Field Programmable Gate Array）１１２Ａ及びＤＳＰ（Digital Signal Processor）１１２Ｂと、
メモリ１１２Ｃとで形成することができる。メモリ１１２Ｃは、ＲＡＭ，ＤＲＡＭのような揮発性記憶媒体と、ＲＯＭ，ＥＥＰＲＯＭのような不揮発性記憶媒体とを含むことができる。メモリ１１２Ｃは、ＦＰＧＡ１１２ＡやＤＳＰ１１２Ｂによって実行される各種のプログラム，プログラムの実行時に使用されるデータを格納する。また、メモリ１１２Ｃは、ＦＰＧＡ１１２やＤＳＰ１１２Ｂの作業領域として使用される。
【００７８】
Ｅ／Ｏ変換部１１３は、電気−光変換モジュール（Ｅ／Ｏモジュール）及び光−電気変換（Ｅ／Ｏ）モジュールとしての電気−光間変換装置によって実現される。なお、本実施形態では、ＢＢＵ−ＲＲＨ間は光インタフェース（ＣＰＲＩ）で接続される例を示しているが、ＢＢＵ−ＲＲＨ間で電気信号が送受信されるようにしても良い。
【００７９】
制御部１１４は、中央演算処理装置（Central Processing Unit：ＣＰＵ）１１４Ａ及
びメモリ１１４Ｂによって実現される。メモリ１１４Ｂは、メモリ１１２Ｃと同様に、不揮発性記憶媒体と揮発性記憶媒体とを含み、ＣＰＵ１１４Ａによって実行される各種のプログラムやプログラム実行時に使用されるデータの格納領域、及びＣＰＵ１１４Ａの作業領域として使用される。ＣＰＵ１１４Ａがメモリ１１４Ｂに格納されたプログラムを実行することによって、呼制御機能や監視制御機能（ＯＡＭ（operation administration and
maintenance）機能を含む）が実現される。監視制御機能の一つとして、上記した内部リソースの調整処理が実行される。
【００８０】
タイミング制御部１１５は、ＧＰＳ受信機であるＧＰＳモジュール１１５Ａや、発振器（例えばＶＣＸＯ）１１５Ｂの適用によって実現される。電源部１１６は、電源（ＰＳ）モジュール（電源装置）を用いて実現される。
【００８１】
上記したＤＳＰ１１２Ｂ、ＣＰＵ１１４Ａは、プロセッサの一例であり、メモリ１１２Ｃ、メモリ１１４Ｂは、記憶装置の一例である。なお、上記したＢＢＵ１１を構成する各種のハードウェアは、汎用ハードウェアを適用することができる。但し、ベースバンド処理部１１２，制御部１１４は、ＡＳＩＣ（Application Specific Integrated Circuit）
のような専用ハードウェア、或いは専用ハードウェアと汎用ハードウェアとの組み合わせによって実現可能である。
【００８２】
ＢＢＵ１１におけるユーザデータに対する処理は、大略して、以下の通りである。ダウンリンクのユーザデータは、ＩＰパケットとして、伝送路インタフェース１１１にて受信される。ＩＰパケットは、伝送路インタフェース１１１からベースバンド処理部１１２に転送される。
【００８３】
ベースバンド処理部１１２では、多値変調処理やＯＦＤＭ処理によってＩＰパケットをＯＦＤＭ信号（ベースバンド信号）に変換する。ベースバンド信号はＣＰＲＩ処理においてＣＰＲＩインタフェース上にＩＱ信号としてマッピングされる。ＣＰＲＩ処理によって生成されたＣＰＲＩインタフェース信号は、Ｅ／Ｏ変換部１１３において光信号に変換され、光ファイバを通じて目的のＤＢ−ＲＲＨ１２へ送信される。
【００８４】
一方、Ｅ／Ｏ変換部１１３は、各ＲＲＨ１３から光ファイバを介して受信される光信号をＣＰＲＩ処理を通じてベースバンド信号に変換し、ベースバンド処理部１１２に送る。ベースバンド処理部１１２は、ベースバンド信号をＩＰパケットに変換し、伝送路インタフェース１１１に送り、伝送路インタフェースはＩＰパケットを伝送路へ送出する。
【００８５】
また、制御部１１４は、監視制御（ＯＡＭ含む）用のデータ（本明細書では、ユーザデータ以外のデータをまとめて「制御データ」と称する）を格納したＩＰパケットをベースバンド処理部１１２に送る。ベースバンド処理部１１２はＩＰパケットをベースバンド信号に変換し、ＣＰＲＩ処理によりＣＰＲＩインタフェース信号を得る。Ｅ／Ｏ変換部１１３でＣＰＲＩインタフェース信号が光信号に変換されて宛先のＲＲＨ１３へ送信される。ＲＲＨ１３へ送られる制御データは、図４及び図７で示したシーケンス中のセルサーチ情報、報知情報、ランダムアクセスチャネル応答メッセージを含むことができる。
【００８６】
また、ＲＲＨ１３からは、制御データを含む光信号がＥ／Ｏ変換部１１３で受信され、ベースバンド信号に変換される。ベースバンド信号は、ベースバンド処理部１１２でＩＰパケットに変換され、制御部１１４に供給される。このようにして、制御部１１４は、制御データを受信することができる。ＲＲＨ１３から送られる制御データは、図４及び図７で示したシーケンスで示した障害情報、ランダムアクセス要求メッセージを含む。
＜ＤＢ−ＲＲＨの構成＞
【００８７】
次に、ＤＢ−ＲＲＨ１２の構成例について説明する。図１０は、ＤＢ−ＲＲＨ１２の機能的な構成例を示し、図１１は、ＤＢ−ＲＲＨ１２のハードウェア構成例を示す。
【００８８】
図１１に示すように、ＤＢ−ＲＲＨ１２は、二系統の無線処理部を有し、第１のＲＲＨ１３である無線処理部１３１と、第２のＲＲＨ１３である無線処理部１３２とを含む。Ｄ
Ｂ−ＲＲＨ１２は、無線処理部１３１及び無線処理部１３２が電気的に接続されるＥ／Ｏ変換・多重分離部１３３と、無線処理部１３１，無線処理部１３２，及びＥ／Ｏ変換・多重分離部１３３に動作用電力を供給する電源部１３４とを含んでいる。
【００８９】
無線処理部１３１と、無線処理部１３２とは同じ構成を有するので、無線処理部１３１を代表として説明する。無線処理部１３１は、Ｅ／Ｏ変換・多重分離部１３３と接続されたＣＰＲＩインタフェース部１３５と、ＣＰＲＩインタフェース部１３５と接続された直交変復調器１３６とを含む。また、無線処理部１３１は、直交変復調器１３６と接続されたアップコンバータ１３７と、アップコンバータ１３７に接続された送信増幅器１３８と、送信増幅器１３８と接続されたデュプレクサ１３９とを含む。デュプレクサ１３９には、送受信アンテナ１４０が接続されている。さらに、無線処理部１３１は、デュプレクサ１３９に接続された受信増幅器１４１と、受信増幅器１４１及び直交変復調器１３６と接続されたダウンコンバータ１４２と、ＣＰＲＩインタフェース部１３５と接続された制御部１４３とを含む。
【００９０】
Ｅ／Ｏ変換・多重分離部１３３は、ＢＢＵ１１との間で送受信されるＣＰＲＩインタフェース信号のＥ／Ｏ変換又はＯ／Ｅ変換処理を行い、ＢＢＵ１１との間で通信を行う。また、Ｅ／Ｏ変換・多重分離部１３３は、二系統（無線処理部１３１及び１３２）に係る信号の分離・多重を行う。すなわち、Ｅ／Ｏ変換・多重分離部１３３は、ＢＢＵ１１−無線処理部１３１間で送受信される信号とＢＢＵ１１−無線処理部１３２間で送受信される信号との多重又は分離処理を行う。
【００９１】
ＣＰＲＩインタフェース部１３５は、ＣＰＲＩプロトコルに基づく処理をベースバンド信号に対して行う。例えば、ＣＰＲＩインタフェース部１３５は、ベースバンド信号をＩＱ信号としてＣＰＲＩインタフェース上へマッピングすることによってＣＰＲＩインタフェース信号を生成する。また、ＣＰＲＩインタフェース部１３５は、ＣＰＲＩインタフェース信号をベースバンド信号に変換する処理を行う。
【００９２】
直交変復調部１３６は、直交変復調を通じてベースバンド信号と無線信号（ＲＦ（Radio Frequency））信号：アナログ信号）との変換処理を行う。
【００９３】
アップコンバータ１３７は、直交変復調部１３６からのＲＦ信号を電波として送信するための周波数に変換する。送信増幅器１３８は、アップコンバータ１３７で周波数が変換されたＲＦ信号を増幅する。
【００９４】
デュプレクサ１３９は、送信増幅器１３８からのＲＦ信号を送受信アンテナ１４０から送信する。また、デュプレクサ１３９は、送受信アンテナ１４０で受信されたＲＦ信号を受信増幅器１４１へ送る。
【００９５】
受信増幅器１４１は、ＲＦ信号を増幅した後、ダウンコンバータ１４２に送る。ダウンコンバータ１４２は、ＲＦ信号を直交変復調部１３６での処理に応じた周波数に変換する。
【００９６】
制御部１４３は、無線処理部１３１全体の制御を司る。例えば、無線処理部１３１の各部の状態（正常、異常（障害））を監視し、障害の検出を行う。制御部１４３は、自送信増幅器１３８の送信電力の制御を行う。例えば、他系監視部１４４から相手方（他系）の状態情報を受け取り、状態情報の内容に応じて自無線処理部の送信増幅器１３８の送信電力を増減させる処理を行う。
【００９７】
他系監視部１４４（他系監視部１４４ａ）は、内部回線（内部通信経路）を介して無線
処理部１３２の他系監視部１４４（他系監視部１４４ｂ）と接続されており、他系（相手方）の状態を監視する。監視は、相手方の他系監視部１４４から送信される相手方の無線処理部（ＲＲＨ）の状態情報を他系監視部１１４で受信し、制御部１３５で状態を検出することによって行われる。
【００９８】
状態情報は、少なくとも無線処理部の正常,異常（障害）を少なくとも示すことができ
る。正常又は異常を図４，７のシーケンスで示した障害情報は、状態「異常」を示す状態情報である。このように、無線処理部１３１と無線処理部１３２とは、他系監視部１４４ａ及び他系監視部１４４ｂによって、相手方の無線処理部の状態を相互に監視する。なお、状態情報は、異常の状態を示す場合に、異常箇所を特定する情報を含むことができる。この場合、状態情報の受信側において、異常箇所に応じて送信電力制御を行うか否かを判定することができる。例えば、少なくとも送信増幅器１３８の異常時には送信電力制御（低下）を実施する設定が行われる。
【００９９】
図１１のハードウェア構成例に示すように、Ｅ／Ｏ変換・多重分離部１３３は、Ｅ／Ｏモジュール，Ｏ／Ｅモジュール、信号の多重／分離回路の組み合わせ（図１１中のブロック１３３Ａ）で実現可能である。また、電源部１３４は、電源装置（ＰＳモジュール）を用いて実現される。
【０１００】
無線処理部１３１（１３２）における直交変復調器１３５及びＣＰＲＩインタフェース部１３６は、ＦＰＧＡを用いて実現することができる。送信増幅器１３８は、パワーアンプ１３８Ａで実現され、受信増幅器１４１は、ローノイズアンプ１４１Ａで実現される。
【０１０１】
制御部１４３は、各種のプログラムを実行するＣＰＵと、及びＣＰＵによって実行されるプログラム、及びプログラムの実行に際して使用されるデータを記憶するメモリで実現される。ＣＰＵはプロセッサの一例であり、メモリを作業領域として使用する。
【０１０２】
他系監視部１４４は、ＦＰＧＡとフォトカプラとを含んで実現され、ＣＰＵからの指示に従って状態情報を生成し、フォトカプラにより状態情報を光信号の形式で相手方の他系監視部１４４へ送る。また、他系監視部１４４は、図示しない受光器を有し、相手方の他系監視部１４４から到達した光信号を受光器で受光することによって状態情報を取得し、制御部１４３に渡す。状態情報は、上記のように他系監視部１４４が生成してもよく、制御部１４３が生成した状態情報を他系監視部１４４が受け取るようにしてもよい。
【０１０３】
なお、他系監視部１４４間の信号は、光信号で送受信されるようにしているが、電気信号で送受信されるようにしても良い。また、状態情報の解釈は、制御部１４３で実施しても良く、他系監視部１４４で実施し、結果を制御部１４３に伝えるようにしても良い。
【０１０４】
上記のようなＤＢ−ＲＲＨ１２のハードウェア構成は例示であり、ＣＰＲＩインタフェース部１３５、直交変復調部１３６、制御部１４３、他系監視部１４４は、ＡＳＩＣ等のような専用のハードウェアで実現されることもできる。
＜送信電力制御の動作例＞
（動作例１）
【０１０５】
図１２は、送信電力制御の動作例を示すフローチャートである。図１２において、無線処理部１３１の制御部１４３は、他系（無線処理部１３２）の監視中（００１）に、無線処理部１３１内の異常（障害）を検出すると、他系監視部１４４ａを制御して障害を示す状態情報を他系監視部１４４ｂへ送る（００２）。
【０１０６】
制御部１４３は、送信増幅器１３８（パワーアンプ１３８Ａ）を制御して送信出力を停
止する（００３）。続いて、制御部１４３は、無線処理部１３４の自律リセット（再起動処理）を行う（００４）。障害の状態がソフトエラーである場合、再起動処理によってエラーが解消する可能性があるからである。
【０１０７】
制御部１４３は、再起動処理によって無線処理部１３１が正常に起動したか否かを判定する（００５）。無線処理部１３１が正常に起動しなかった場合には、制御部１４３は、送信増幅器１３８の制御により送信増幅器１３８の動作を停止して、送信出力を停止する（００６）。送信出力停止は、送信増幅器１３８の動作をオフにするのでも、送信増幅器１３８への電力供給を停止するのでも良い。
【０１０８】
これに対し、無線処理部１３１が正常に起動した場合には、運用を再開する（００７）。運用再開によって、他系監視部１４４ａが他系監視部１４４ｂに正常を示す状態情報を送る。
【０１０９】
一方、無線処理部１３２では、他系（無線処理部１３１）の監視中（００８）に、他系監視部１４４ｂから異常（障害）を示す状態情報を受け取った場合には、無線処理部１３２の異常（障害）を検出する（００９）。
【０１１０】
すると、無線処理部１３２の制御部１４３は、送信増幅器１３８を制御して、送信出力を低下させる（０１０）。その後、制御部１４３は、他系監視部１４４ｂから受け取る状態情報を監視して、無線処理部１３１の状態遷移が発生するのを待つ（０１１）。すなわち、制御部１４３は、自律リセット後の状態情報が送信されてくるのを待つ。なお、本実施形態では、自律リセットによって、自律リセット後の自系の状態情報が相手方に送信される構成が適用されており、これによって、状態情報の受信側は、他系の自律リセットを知ることができる。
【０１１１】
制御部１４３は、自律リセット後の状態情報が異常状態の継続を示さない（正常を示す）場合（０１２のＮｏ）には、送信増幅器１３８を制御して、送信電力を元に戻す（０１３）。これに対し、状態情報が異常を示す場合には、送信出力の低下状態を維持し続ける。
（動作例２）
【０１１２】
動作例１では、正常時の送信出力レベルと異常時の送信出力レベルとの二つで送信電力制御を行う例を示した。動作例２では、送信出力を段階的に制御する例について説明する。
【０１１３】
図１３は、段階的な送信出力制御の例を示す。図１３には、無線処理部１３１について、以下のような動作が例示されている。すなわち、時刻ｔ１で無線処理部１３１に異常が発生し、時刻ｔ２で送信出力が停止される。その後、所定の時刻ｔ３で自律リセット（再起動）が行われ、正常状態に遷移すると、時刻ｔ４で、送信出力が元の状態に回復する（再開される）。
【０１１４】
一方、無線処理部１３２では、以下の動作が行われる。すなわち、時刻ｔ５で、無線処理部１３１の障害通知を受けて、制御部１４３は、送信出力を低下させる。その後、時刻ｔ６になると、制御部１４３は、所定量だけ送信出力を上昇させる。さらに、時刻ｔ７になると、制御部１４３は、所定量だけ送信出力を上昇させる。
【０１１５】
このように、動作例２では、相手方の障害通知を受け取った無線処理部１３２が、所定のレベルまで送信出力を低下させ、その後、段階的に送信出力を上昇させる。これによって、無線処理部１３１の送信出力停止直後に無線処理部１３２側に移動端末からの接続要
求が集中するのを緩和することができる。そして、段階的に送信出力を上げていくことで、無線送信部１３２に接続できる移動端末の地理的範囲（セル半径）を元の状態に近づけていくことができる。時刻ｔ２で、例えばセルＣ１と切断された或る移動端末が、セルＣ２にも隣接セルにも再接続できなかった場合には、当該移動端末は移動しない限り通信を再開できない。これに対し、段階的に送信出力が上昇し、セル半径が拡大することで、当該移動端末は、セルＣ２へ接続することが可能となる。
【０１１６】
なお、送信出力制御は、障害側の無線処理部１３１の動作と無関係に（非同期）で実行される。図１３の例では、無線処理部１３１の運用再開後の時刻ｔ８で、無線処理部１３２の送信出力レベルが元のレベルに戻っている。
また、図１４に示すように、送信出力制御は、相手方の障害が検出されてから、段階的に所定のレベルまで低下するように実行することができる。
＜作用効果＞
【０１１７】
実施形態１によれば、ＤＢ−ＲＲＨ１２において、無線処理部１３１の異常発生によって無線処理部１３２への接続要求が集中することによる輻輳状態を回避することができる。
[実施形態２]
次に、実施形態２について説明する。実施形態２は、実施形態１と共通の構成を有するので、主として相違点について説明し、共通点については説明を省略する。
【０１１８】
図１５は、実施形態２に係るＤＢ−ＲＲＨの構成例を示し、図１６は、図１５に示したＤＢ−ＲＲＨのハードウェア構成を示す。実施形態１（図１０、図１１）との相違点は以下の通りである。
【０１１９】
すなわち、実施形態２では、ＤＢ−ＲＲＨ１２は、電源制御部１５０をさらに含む。電源制御部１５０は、各無線処理部１３１及び１３２からの制御信号に従って、電源部１３４から供給される各部向けの電力の供給又は供給停止を行う。
【０１２０】
電源制御部１５０は、図１６に示すように、フォトカプラを用いて形成される。各制御部１４３は、図示しないフォトカプラを有し、他系（相手方）の電力供給停止を示す光信号を生成し、電源制御部１５０へ与える。電源制御部１５０は、受光器で光信号を受信し、電力供給を停止する無線処理部を特定し、電源部１３４から特定した無線処理部への電力供給を遮断することで電力供給を停止させる。
【０１２１】
このように、実施形態２では、ＤＢ−ＲＲＨ１２にて、各無線処理部１３１，１３２に他系監視部１４４を設けるとともに、監視情報（状態情報）を相互に伝達することで、無線処理部１３１、１３２同士が相互に状態監視を行うことができる。
【０１２２】
さらに、他系（相手方）の無線処理部（例えば無線処理部１３１）に異常が発生した場合に、無線処理部１３２が、検出した異常内容から判断して自己の送信電力出力を自律的に下げる処理を行う。
【０１２３】
また、異常となった無線処理部１３１は、自己判断のために自律リセットを実行する。自律リセット後も異常状態の検出が無線処理部１３２で継続する場合には、無線処理部１３２が電源制御部１５０に対して無線処理部１３５への電源供給停止の指示を行う。
【０１２４】
図１７は、実施形態２における動作例を示すフローチャートである。図１７に示す００１〜０１２の動作は、図１２に示した実施形態１の動作と同じであるので説明を省略する。０１２で、無線処理部１３２の制御部１４３は、自律リセット後の状態情報異常を示す
場合には、電源制御部１５０に、無線処理部１３１への電力供給を停止する旨の制御信号を供給する（０１４）。これによって、電源制御部１５０は、無線処理部１３１への電力供給を停止する。
【０１２５】
実施形態２によれば、自律リセット後も異常が継続する場合に、無線処理部１３２によって、無線処理部１３１への電力供給が停止される。これによって省電力が図られる。
【０１２６】
なお、上記した実施形態１，２では、無線処理部１３１（第１のＲＲＨ１３）で障害が発生し、無線処理部１３２（第２のＲＲＨ１３）で送信電力（送信出力）制御を行う例について説明したが、無線処理部１３２（第２のＲＲＨ１３）で障害が発生した場合には、無線処理部１３１（第１のＲＲＨ１３）で送信電力（送信出力）制御が行われる。すなわち、逆の動作が行われる。
＜変形例＞
【０１２７】
上記した実施形態１，２では、ＤＢ−ＲＲＨ１２を適用した基地局装置１０について説明したが、ＤＢ−ＲＲＨ１２の機能は、二つの独立したＲＲＨで同様の機能が実現されるようにすることができる。例えば、図１８に示すように、ＲＲＨ４１とＲＲＨ４２との組、ＲＲＨ４３とＲＲＨ４４との組、及びＲＲＨ４５とＲＲＨ４６との組が、それぞれＤＢ−ＲＲＨ１２Ａ，ＤＢ−ＲＲＨ１２Ｂ，及びＤＢ-ＲＲＨ１２Ｃとして機能する構成を適
用することができる。
【０１２８】
ＲＲＨ４１，４３及び４５のそれぞれは、周波数帯ｆ１を使用し、ＲＲＨ４２，４４及び４６のそれぞれは、周波数帯ｆ２を使用する。各ＲＲＨの組とＢＢＵ１１との接続形態は、図１８に示すように、組をなすＲＲＨ（ＲＲＨ４１とＲＲＨ４２）のうちの一方（ＲＲＨ４２）がＢＢＵ１１と接続され、他方（ＲＲＨ４１）は一方（ＲＲＨ４２）を介してＢＢＵと接続されるデイジーチェーン型を適用することができる。或いは、組をなす各ＲＲＨ（図１８では、ＲＲＨ４３及び４４の組，ＲＲＨ４５及び４６の組）がそれぞれＢＢＵ１１に接続されるスター型を適用することができる。
【０１２９】
各ＲＲＨ４１〜４６は、例えば、図１５に示した無線処理部１３１と、電源部１３４とを有する。但し、ＲＲＨ４３，４４，４５，４６のそれぞれは、Ｅ／Ｏ変換部をそれぞれ個別に有し、ＢＢＵ１１は、各ＲＲＨ４３，４４，４５，４６向けのＣＰＲＩインタフェース信号を生成して各ＲＲＨ４３〜４６に送る。
【０１３０】
一方、ＲＲＨ４１、４２は、Ｅ／Ｏ変換・多重分離部１３３をそれぞれ有する。そして、ＲＲＨ４２のＥ／Ｏ変換・多重分離部１３３で受信されるＣＰＲＩインタフェース信号がＲＲＨ４２を介してＲＲＨ４１へ送信され、ＲＲＨ４１のＥ／Ｏ変換・多重分離部１３３で受信されるように構成する。
【０１３１】
もっとも、ＲＲＨ４２のＥ／Ｏ変換・多重分離部１３３とＲＲＨ４１とが接続されて、分離後のＲＲＨ４１向けの信号がＲＲＨ４１へ送信され、ＲＲＨ４２のＥ／Ｏ変換・多重分離部１３３で多重されるべきＣＰＲＩ信号がＲＲＨ４１から供給されるようにしても良い。
【０１３２】
また、組をなすＲＲＨ間には、監視情報（状態情報）を相互に伝達するためのＲＲＨ間インタフェースが設けられる。すなわち、組をなすＲＲＨのそれぞれは、他系監視部１４４の代わりのＲＲＨ間インタフェース回路５０を有し、当該インタフェース回路５０間が通信回線で接続される。各インタフェース回路５０は、自局の制御部１４３に接続される。
【０１３３】
上述した状態情報は、ＲＲＨ間インタフェース回路５０間で所定の通信形式に変換され、送受信される。また、実施形態２で説明したような電源制御部１５０は、組をなすＲＲＨのそれぞれが有し、電源供給停止指示は、ＲＲＨ間インタフェース回路５０を介して相手方に伝達される。電源供給停止指示を受け取った制御部１４３は、電源制御部１５０を制御して、自系の電力供給を停止する。
【符号の説明】
【０１３４】
１０・・・基地局装置
１１・・・ＢＢＵ
１２・・・ＤＢ−ＲＲＨ
１３・・・ＲＲＨ
１３１、１３２・・・無線処理部
１４３・・・制御部
１４４・・・他系監視部
【図１】
2014120802.tif 000003
【図２】
2014120802.tif 000004
【図３】
2014120802.tif 000005
【図４】
2014120802.tif 000006
【図５】
2014120802.tif 000007
【図６】
2014120802.tif 000008
【図７】
2014120802.tif 000009
【図８】
2014120802.tif 000010
【図９】
2014120802.tif 000011
【図１０】
2014120802.tif 000012
【図１１】
2014120802.tif 000013
【図１２】
2014120802.tif 000014
【図１３】
2014120802.tif 000015
【図１４】
2014120802.tif 000016
【図１５】
2014120802.tif 000017
【図１６】
2014120802.tif 000018
【図１７】
2014120802.tif 000019
【図１８】
2014120802.tif 000020